(57)【要約】【課題】  和紙を使用した柔らかい感じのステンドグラス風装飾物を得ることを目的とする。【解決手段】  透明或いは不透明な基材表面の一部或いは全面に、彩色した或いは彩色しない模様和紙片と、彩色した或いは彩色しない背景和紙片を、互いに間隙を空けた状態で固着し、該間隙及び和紙全体の外周縁をカバーするようにスティック状熱可塑性樹脂を基材表面に加熱融着させて模様部分を肉盛り状に隈取りする。【選択図】        図１
2008055811.tif 000002
【特許請求の範囲】
【請求項１】
透明或いは不透明な基材表面の一部或いは全面に、彩色した或いは彩色しない模様和紙片と、彩色した或いは彩色しない背景和紙片を、互いに間隙を空けた状態で固着し、該間隙及び和紙全体の外周縁をカバーするようにスティック状熱可塑性樹脂を基材表面に加熱融着させて模様部分及び外周縁部分を肉盛り状に隈取りしたことを特徴とする和紙飾り。
【請求項２】
基材として、透明なプラスチックシートやプラスチック板或いはガラス板を用いてステンドグラス風に仕上げたものである、請求項１記載の和紙飾り。
【請求項３】
プラスチックシートやプラスチック板、鉄板、木板などの不透明な基材の表面に和紙の隈取り模様を表出したものである、請求項１記載の和紙飾り。
【請求項４】
模様和紙片或いは背景和紙片に幅細の切り抜き部分を設け、該切り抜き部分にスティック状熱可塑性樹脂を加熱融着させて肉盛り状の隈取り模様を設けるものである、請求項１、請求項２又は請求項３記載の和紙飾り。
【請求項５】
各和紙片にワニスや透明樹脂を塗布含浸させたものである、請求項１、請求項２、請求項３又は請求項４記載の和紙飾り。
【請求項６】
模様和紙片及び背景和紙片は、和紙の片面に剥離紙付き両面粘着フイルムを貼着したものから型抜き或いは切り抜きにより形成したのち剥離紙を除去して基材表面の適宜箇所に相互に0.５〜５ｍｍ程度の間隙を開けて粘着するか、或いは和紙を型抜き或いは切り抜きした後裏面にスプレー糊を噴霧して基材表面の適宜箇所に相互に0.５〜５ｍｍ程度の間隙を開けて接着し、次いで、該間隙及び和紙全体の周辺部分をカバーするようにスティック状熱可塑性樹脂を基材表面に加熱融着させて模様部分を肉盛り状に隈取りすることを特徴とする和紙飾りの製法。
【請求項７】
請求項６と同様にして模様和紙片を基材表面の適宜箇所に接着或いは粘着したのち、背景型抜和紙の裏面にスプレー糊を噴霧しこれを模様和紙片を含む基材表面の全面に貼着し、次いで模様和紙片とその周囲0.５〜５ｍｍ幅の間隙部分を切除し、該間隙及び和紙全体の周辺部分をカバーするようにスティック状熱可塑性樹脂を基材表面に加熱融着させて模様部分を肉盛り状に隈取りすることを特徴とする和紙飾りの製法。
【請求項８】
和紙を型抜き或いは切り抜いて形成した模様和紙片及び背景和紙片は、片面に弱接着性のスプレー糊を噴霧したのち、透明なプラスチックフイルム上に互いに0.５〜５ｍｍの間隙を空けて貼り付け、次いで各紙片の上面に強接着性のスプレー糊を噴霧し、これを適宜の基材表面に転写し、次いで該間隙及び和紙全体の周辺部分をカバーするようにスティック状熱可塑性樹脂を基材表面に加熱融着させて模様部分を肉盛り状に隈取りすることを特徴とする和紙飾りの製法。
【発明の詳細な説明】
【技術分野】
【０００１】
本発明は、和紙クラフト、殊に和紙でステンドグラス風の外観を現出することができる新規な和紙飾りに関するものである。
【背景技術】
【０００２】
従来から、和紙を用いた様々な工芸品や手工芸品が製造或いは製作されているが、ステンドグラス風の外観を呈するものは本発明者が知る限り皆無である。
【０００３】
和紙で模様を表出するものとしては、例えばちぎり絵がある（例として特許文献１）。これは色紙の境界線の毛羽立ちの面白さを強調するもので、境界線は重なっており、ステンドグラス風の感じはでない。
【０００４】
一方、手軽な代用ステンドグラスとして、ガラス板の表面に鉛テープで区画した中に着色したフイルムを接着することが古くから行われている（例えば特許文献２）。
【特許文献１】特開２０００−１４１９９８号公報
【特許文献２】特公昭６２−２００３９号公報
【発明の開示】
【発明が解決しようとする課題】
【０００５】
しかし、着色フイルムをガラスに貼ったものは色ガラスと同様に固い感じがする。そこで、本発明者は柔らかい感じのステンドグラスを得るべく、着色フイルムに代えて彩色した和紙を使用してみた。しかし、和紙と鉛テープとは違和感があって組み合わせたものは非常に奇妙なものとなった。
【課題を解決するための手段】
【０００６】
そこで本発明者は、鉛テープに代えてスティック状熱可塑性樹脂を溶融したもので、模様和紙片や背景和紙片の周囲を区画してみたところ、和紙との調和が非常によく、和紙の柔らかさが強調されたステンドグラス風の和紙飾りが得られた。
【０００７】
ただ、和紙の上にこのスティック状熱可塑性樹脂を溶融して接着させると、和紙の毛羽立ちのため溶融樹脂が簡単に剥離することが判明した。そこで本発明者は、模様和紙片や背景和紙片を素材表面に固着する場合に、互いに0.５〜５ｍｍ程度より好ましくは１〜３ｍｍ程度の間隙を空けておき、溶融樹脂が直接素材表面に接着するようにした。このようにすることにより、溶融樹脂は素材表面に堅固に接着されるとともに、和紙片の周囲の押さえにもなるものである。溶融樹脂は、和紙片間の間隙及び和紙全体の外周縁をカバーするように肉盛り状に隈取りする。
【０００８】
尚、この肉盛り状の隈取りを和紙片間以外の部分にも設けようとする場合には、和紙片に幅細の切り抜き部分を設け、この切り抜き部分にスティック状熱可塑性樹脂を加熱融着させる必要がある。また、溶融樹脂の接着の後或いは前に、各和紙片にワニスや透明樹脂を塗布含浸さておくと、和紙の透明感や強度が増すし汚れ防止にもなる。
【０００９】
ここで、模様和紙片や背景和紙片は、手書きや絞り染、折り染、捺染などの方法で彩色したものを使用するが、特に背景和紙片は彩色しないものも使用される。
【００１０】
スティック状熱可塑性樹脂とは、ホットメルト樹脂（エチレン酢ビ等）に金銀箔や着色剤を練り込んだ手工芸用品のことで、グルーなどの商品名で市販されているものである。形状は直径７ｍｍ、長さ１０ｃｍ程度であり、これをグルーガンと言う加熱機で溶融して使用する。市販のグルーガンの先端孔径は２ｍｍ程度で、１５０〜１６０℃程度に加熱できるようになっている。そして、グルーガンから押し出される溶融樹脂の径はガンの移動速度にもよるが１〜３ｍｍ程度になる。従って、和紙片間の間隙は通常３ｍｍ以下が好ましい。この樹脂は、ポリカーボネートなどの樹脂やガラス、鉄などに良く接着される。
【００１１】
次に、和紙片を固着する土台となる基材について説明する。基材が、透明なプラスチックシートやプラスチック板或いはガラス板の場合、柔らかいステンドグラス風の和紙飾りが得られる。この和紙飾りは、照明器具のかさや窓ガラスなどに使用できる。基材が、不透明なプラスチックシートやプラスチック板、鉄板、木板などの場合、その表面に和紙の隈取り模様を表出することができる。模様は、製品の全体でもよいが、冷蔵庫などの大型のものでは、一部に施すようにしてもよい。以下、基材が透明なプラスチックシートの場合を例にとって本発明を説明する。
【００１２】
本発明の和紙飾りの製法としては、幾つか考えられる。まず、模様和紙片及び背景和紙片は、和紙の片面に剥離紙付き両面粘着フイルムを貼着したものから型抜き或いは切り抜きにより形成したのち剥離紙を除去して基材表面の適宜箇所に相互に0.５〜５ｍｍ程度より好ましくは１〜３ｍｍ程度の間隙を開けて粘着するか、或いは和紙を型抜き或いは切り抜きした後裏面にスプレー糊を噴霧して基材表面の適宜箇所に相互に0.５〜５ｍｍ程度より好ましくは１〜３ｍｍ程度の間隙を開けて接着する。次いで、該間隙及び和紙全体の周辺部分をカバーするようにスティック状熱可塑性樹脂を基材表面に加熱融着させて模様部分を肉盛り状に隈取りする方法がある。
【００１３】
次に、前記と同様にして模様和紙片を基材表面の適宜箇所に接着或いは粘着したのち、背景型抜和紙の裏面にスプレー糊を噴霧しこれを模様和紙片を含む基材表面の全面に貼着し、次いで模様和紙片とその周囲0.５〜５ｍｍ程度より好ましくは１〜３ｍｍ幅の間隙部分を切除し、該間隙及び和紙全体の周辺部分をカバーするようにスティック状熱可塑性樹脂を基材表面に加熱融着させて模様部分を肉盛り状に隈取りする方法が考えられる。
【００１４】
また、和紙を型抜き或いは切り抜いて形成した模様和紙片及び背景和紙片は、片面に弱接着性のスプレー糊を噴霧したのち、透明なプラスチックフイルム上に互いに0.５〜５ｍｍ程度より好ましくは１〜３ｍｍ程度の間隙を空けて貼り付け、次いで各紙片の上面に強接着性のスプレー糊を噴霧し、これを適宜の基材表面に転写し、次いで該間隙及び和紙全体の周辺部分をカバーするようにスティック状熱可塑性樹脂を基材表面に加熱融着させて模様部分を肉盛り状に隈取り方法も考えられる。尚、ここにスプレー糊とは、アクリル系樹脂などを主体とする接着剤である。
【発明の効果】
【００１５】
以上詳述したように、本発明は、透明或いは不透明な基材表面の一部或いは全面に、彩色した或いは彩色しない模様和紙片と、彩色した或いは彩色しない背景和紙片を、互いに間隙を空けた状態で固着し、該間隙及び和紙全体の外周縁をカバーするようにスティック状熱可塑性樹脂を基材表面に加熱融着させて模様部分を肉盛り状に隈取りした和紙飾りである。
【００１６】
従って、
（１）透明な基材を使用した場合、和紙の柔らかさを持ったステンドグラス風の和紙飾りが簡単に得られる。
（２）スティック状熱可塑性樹脂は、鉛テープと異なり、曲線が自在に描けるので、より柔らかな感じを与える。
（３）製品の出来は作り手の感性によるところが大きいが、作成手順は単純であるかめ、型紙などを使用することにより、誰でもが簡単に様々なステンドグラス風和紙飾りを得ることができる。
（４）不透明な基材の場合、例えばプラスチック製団扇のワンポイント飾りなどに最適なものである。
（５）飾りを施す対象物や場所に応じて種々な製法が提供される。
などの効果がある。
【発明を実施するための最良の形態】
【００１７】
透明なプラスチックシートのほぼ全面に、模様和紙片と背景和紙片を相互に0.５〜５ｍｍ程度より好ましくは１〜３ｍｍ程度の間隙を空けて固着し、該間隙及び和紙全体の外周縁をカバーするようにスティック状熱可塑性樹脂を基材表面に加熱融着させて模様部分を肉盛り状に隈取りした和紙飾り。
【実施例１】
【００１８】
以下、本発明を図面に基づいて詳細に説明する。図１は、本発明の和紙飾り１の一例を示す平面図である。この和紙飾り１は、透明なポリカーポネート樹脂板２の表面に、手書きで彩色した模様和紙片３を下絵に合わせて或いはフリーハンド的に接着する。模様和紙片３が隣接している場合には、その間に0.５〜５ｍｍ程度より好ましくは１〜３ｍｍ程度の間隙４を空ける。次に、空白の部分に無彩色の背景和紙片５と全面を均一に彩色した背景和紙片５′を同様に0.５〜５ｍｍ程度より好ましくは１〜３ｍｍ程度の間隙６を空けて接着する。各和紙片３、５、５′は両面粘着フイルム７で貼着する。
【００１９】
次に、図２に示すように、それぞれの間隙４、６及び和紙全体の外周縁をカバーするように、スティック状熱可塑性樹脂８を基材２の表面に加熱融着させて模様部分を肉盛り状に隈取りする。尚、図２は図１におけるＸ−Ｘ線切断断面図である。また、図１における部分拡大図は、肉盛り状の隈取りを和紙片間隙間以外の部分にも設けた場合でを示す。即ちＡ、Ｂは無彩色の背景和紙片５、Ｃは彩色した背景和紙片を示し、ａはＡ−Ｃ間の間隙、ｂはＡ−Ｂ間の間隙、ｃはＢ−Ｃ間の間隙、ｄはＣに設けた幅細の切り抜き部分である。
【実施例２】
【００２０】
実施例１と同様にして模様和紙片３を基材２表面の適宜箇所に接着したのち、背景和紙９の裏面にスプレー糊１０を噴霧しこれを模様和紙片３を含む基材表面の全面に貼着する。次いで模様和紙片３の上部とその周囲0.５〜５ｍｍ程度より好ましくは１〜３ｍｍ程度の間隙４部分をＹ線で切断すると、図の２点鎖線部分が切除され、図２の状態（熱可塑性樹脂は無い）となる。得られる。次いで、該間隙４及び和紙全体の周辺部分をカバーするようにスティック状熱可塑性樹脂８を基材表面に加熱融着させて模様部分を肉盛り状に隈取りする。
【００２１】
この方法は、背景和紙片に対して模様和紙片３の面積が小さい場合に特に有効である。
【実施例３】
【００２２】
模様和紙片３及び背景和紙片５、５′は、片面に弱接着性のスプレー糊１１を噴霧したのち、透明なプラスチックフイルム１２上に互いに0.５〜５ｍｍ程度より好ましくは１〜３ｍｍ程度の間隙を空けて貼り付け、次いで各紙片の上面に強接着性のスプレー糊１０を噴霧し、これを図２のように適宜の基材２の表面に転写し、次いで該間隙及び和紙全体の周辺部分をカバーするようにスティック状熱可塑性樹脂８を基材表面に加熱融着させて模様部分を肉盛り状に隈取りする。
【００２３】
この方法は、透明なプラスチックフイルム１２の下に下絵１３をおいて行う場合に有効な方法である。また、和紙飾りを施す箇所が平面その他施工しにくい場合にも有効である。
【図面の簡単な説明】
【００２４】
【図１】本発明の和紙飾りの一例を示す平面図である。（実施例１）
【図２】図１におけるＸ−Ｘ線拡大断面図である。（実施例１）
【図３】和紙飾り製法の他の例を示す模式的側面図である。（実施例２）
【図４】更に異なる製法の例を示す模式的側面図である。（実施例３）
【符号の説明】
【００２５】
１    和紙飾り
２    ポリカーポネート樹脂板
３    模様和紙片
４    間隙
５    無彩色の背景和紙片
５′  彩色した背景和紙片
６    間隙
７    両面粘着フイルム
８    スティック状熱可塑性樹脂
９    背景和紙
１０    スプレー糊
１１    弱接着性のスプレー糊
１２    透明なプラスチックフイルム
１３    下絵
【図１】
2008055811.tif 000003
【図２】
2008055811.tif 000004
【図３】
2008055811.tif 000005
【図４】
2008055811.tif 000006